(57)【要約】  基地局が自身のセルの運用中に移動局との間の無線送受信を中断して隣接セルから到達する無線信号の測定を行う場合に、隣接セルの測定中であることを移動局が認識できるようにすることを目的とする。ホーム基地局１は、自身のセル（ホームセル）の運用中に移動局３−１との間の無線送信及び無線受信の少なくとも一方を中断して隣接セルから到達する無線信号の測定を行う。さらに、ホーム基地局１は、隣接セルから到達する無線信号の測定開始に先立って、測定の実行を示す予告情報を移動局３−１に通知する。
2010079560.tif 000002
【特許請求の範囲】
【請求項１】
自身のセルの運用中に移動局との間の無線送信及び無線受信の少なくとも一方を中断して隣接セルから到達する無線信号の測定を行う測定手段と、
前記測定の開始に先立って、前記測定の実行を示す予告情報を前記移動局に送信する送信手段と、
を備える基地局装置。
【請求項２】
前記予告情報は、前記測定が行われる時間を特定可能な情報を含む、請求項１に記載の基地局装置。
【請求項３】
前記測定手段は、前記測定の実行中に前記無線送信及び無線受信の少なくとも一方を間欠的に停止し、
前記予告情報は、前記無線送信及び無線受信の少なくとも一方の間欠的な停止パターンに関する情報を含む、請求項１に記載の基地局装置。
【請求項４】
前記予告情報は、前記自身のセルに接続している移動局および前記自身のセルに未接続の無線局がともに受信可能な報知チャネルを用いて送信される、請求項１〜３のいずれか１項に記載の基地局装置。
【請求項５】
前記予告情報は、前記自身のセルに接続している移動局が受信可能な共有チャネルを用いて送信される、請求項１〜４のいずれか１項に記載の基地局装置。
【請求項６】
前記送信手段は、前記測定が終了した場合に、前記測定の終了を示す終了情報を前記移動局にさらに送信する、請求項１〜５のいずれか１項に記載の基地局装置。
【請求項７】
移動局との間の無線送信及び無線受信の少なくとも一方を中断して周辺のセルから到達する無線信号の測定を行う隣接基地局から、前記測定の実行を通知するために前記測定の開始に先立って送信される予告情報を受信する受信手段と、
前記予告情報を受信した場合に、前記測定の実施を示す情報を自身のセルに接続している移動局に送信する送信手段と、
を備える基地局装置。
【請求項８】
前記受信手段は、前記隣接基地局の情報が上位装置から供給される隣接セル情報に含まれている場合に、前記隣接基地局の情報を用いて前記予告情報を受信する、請求項７に記載の基地局装置。
【請求項９】
前記受信手段は、前記隣接基地局から送信され、前記隣接基地局が形成するセルに未接続の無線局が受信可能である報知チャネルを受信し、前記報知チャネルに含まれる前記予告情報を取得する、請求項７又は８に記載の基地局装置。
【請求項１０】
前記受信手段は、前記測定の終了を伝達するために前記隣接基地局から送信される終了情報をさらに受信し、
前記送信手段は、前記終了情報を受信した場合に、前記測定の終了を示す情報を前記自身のセルに接続している移動局にさらに送信する、請求項７〜９のいずれか１項に記載の基地局装置。
【請求項１１】
移動局との間の無線送信及び無線受信の少なくとも一方を中断して周辺のセルから到達する無線信号の測定を行う第１の基地局によって前記測定が実行されることを示す予告情報を受信する受信手段と、
前記予告情報に基づいて、前記第１の基地局との間の送信動作および受信動作の少なくとも一方を停止する制御手段と、
を備える移動局装置。
【請求項１２】
前記制御手段は、前記第１の基地局が無線送信を停止している期間に、前記第１の基地局に対する上りデータ送信を停止する、請求項１１に記載の移動局装置。
【請求項１３】
前記移動局装置が前記周辺のセルに接続している場合に、前記受信手段は、前記周辺のセルを形成する第２の基地局を経由して前記予告情報を受信する、請求項１１又は１２に記載の移動局装置。
【請求項１４】
前記受信動作は、前記第１の基地局から送信される無線信号の受信電力測定を含む、請求項１１〜１３のいずれか１項に記載の移動局装置。
【請求項１５】
前記受信動作は、前記第１の基地局から送信され、前記移動局装置のハンドオーバーの実行判定のために使用されるパイロットチャネルの受信電力測定を含む、請求項１１〜１３のいずれか１項に記載の移動局装置。
【請求項１６】
第１の移動局と、
自身のセルの運用中に前記第１の移動局との間の無線送信及び無線受信の少なくとも一方を中断して隣接セルから到達する無線信号の測定を行う第１の基地局と、を備え、
前記第１の基地局は、前記測定の開始に先立って、前記測定の実施を示す予告情報を送信し、
前記第１の移動局は、前記予告情報に基づいて、前記第１の基地局に対する無線信号の送信動作および前記第１の基地局からの無線信号の受信動作の少なくとも一方を停止する、
通信システム。
【請求項１７】
前記隣接セルを形成する第２の基地局をさらに備え、
前記第２の基地局は、前記予告情報を受信するとともに、前記予告情報を受信した場合に、前記測定の実施を示す情報を前記隣接セルに接続している第２の移動局に送信する、請求項１６に記載の通信システム。
【請求項１８】
前記第１の基地局は、前記第１の移動局及び第２の基地局がともに受信可能な報知チャネルを用いて前記予告情報を送信する、請求項１６又は１７に記載の通信システム。
【請求項１９】
前記第１の基地局は、前記報知チャネルに加えて、前記自身のセルに接続している前記第1の移動局が受信可能な共有チャネルを用いて前記予告情報を送信する、請求項１８に記載の通信システム。
【請求項２０】
自身のセルの運用中に移動局との間の無線送信及び無線受信の少なくとも一方を中断して隣接セルから到達する無線信号の測定を開始するに先立って、前記測定の実行を示す予告情報を前記移動局に送信することを含む、基地局装置の制御方法。
【請求項２１】
移動局との間の無線送信及び無線受信の少なくとも一方を中断して周辺のセルから到達する無線信号の測定を行う隣接基地局から、前記測定の実行を通知するために前記測定の開始に先立って送信される予告情報を受信し、
前記予告情報を受信した場合に、前記測定の実行を示す情報を自身のセルに接続している移動局に通知することを含む、基地局装置の制御方法。
【請求項２２】
移動局との間の無線送信及び無線受信の少なくとも一方を中断して周辺のセルから到達する無線信号の測定を行う基地局によって前記測定が実行されることを示す予告情報を受信し、
前記予告情報に基づいて、前記基地局に対する無線信号の送信動作および前記基地局からの無線信号の受信動作の少なくとも一方を停止することを含む、移動局装置の制御方法。
【請求項２３】
基地局装置に関する制御をコンピュータに実行させるためのプログラムが格納された記録媒体であって、
前記制御は、前記基地局装置によるセルの運用中に移動局との間の無線送信及び無線受信の少なくとも一方を中断して隣接セルから到達する無線信号の測定を開始するに先立って、前記測定の実行を通知するために前記移動局に送信される予告情報を生成することを含む、プログラムが格納された記録媒体。
【請求項２４】
基地局装置に関する制御をコンピュータに実行させるためのプログラムが格納された記録媒体であって、
前記制御は、
移動局との間の無線送信及び無線受信の少なくとも一方を中断して周辺のセルから到達する無線信号の測定を行う隣接基地局から、前記測定の実行を通知するために前記測定の開始に先立って送信される予告情報を取得し、
前記予告情報に基づいて、前記測定の実行を通知するために、前記基地局装置によって形成されるセルに接続している移動局に送信される情報を生成することを含む、プログラムが格納された記録媒体。
【請求項２５】
移動局装置に関する制御をコンピュータに実行させるためのプログラムが格納された記録媒体であって、
前記制御は、
移動局との間の無線送信及び無線受信の少なくとも一方を中断して周辺のセルから到達する無線信号の測定を行う基地局によって前記測定が実行されることを示す予告情報を取得し、
前記予告情報に基づいて、前記基地局に対する無線信号の送信動作および前記基地局からの無線信号の受信動作の少なくとも一方を停止させることを含む、プログラムが格納された記録媒体。
【発明の詳細な説明】
【技術分野】
【０００１】
本発明は、基地局を含む無線通信システムにおける無線測定方法および関連する技術に関する。
【背景技術】
【０００２】
近年、携帯電話の普及による屋内での音声通信やデータ通信の需要の増大に伴い、屋内に設置される家庭用基地局の開発が進められている。このような家庭用基地局の運用形態として、予め登録された移動局のみが家庭用基地局に接続して通信を行なうことが、第三世代移動通信システムの標準化プロジェクト３ＧＰＰ（3rd Generation Partnership Project）で検討されている（非特許文献１を参照）。【０００３】
家庭用基地局がカバーする範囲は、屋外に設置される基地局に比べて極めて小さいことから、ホームセルと呼ばれる。そこで、以下、家庭用基地局をホーム基地局と呼ぶ。また、ホーム基地局の周辺に設置される既存の移動通信網におけるマクロ基地局および周辺のホーム基地局を対象のホーム基地局と区別するために、周辺のマクロ基地局及び周辺のホーム基地局を隣接基地局、隣接基地局がカバーする範囲を隣接セルと呼ぶ。【０００４】
以上のようなホーム基地局は、Ｗ−ＣＤＭＡ（Wideband Code Division Multiple Access）などのシステムの中で使用することが検討されている。ホーム基地局と移動局との間では、上り回線と下り回線における送信電力制御された個別チャネルを用いたデータ送信や、下り回線における共用チャネルを用いたデータ送信が行われる。ホーム基地局及び隣接基地局は、共通パイロット信号ＣＰＩＣＨ（Common Pilot Channel）を送信する。移動局は、その共通パイロット信号を受信することにより、同期確立及びチャネル推定等を行なって、基地局との間でデータの送受信を行なう。このため、移動局において共通パイロット信号を良好な受信品質で受信できるようにすることが、良好な通信品質を提供するために必要である（例えば非特許文献２を参照）。また、基地局は、定期的にセルＩＤを含むセル情報を、ＢＣＨ（Broadcast Channel）を用いて報知し、移動局は、報知されたセル情報から基地局を識別する。【０００５】
既存の移動通信網における基地局では、各セルにおいて送信する共通パイロット信号の送信電力は、固定的に定められている。これに対して、ホーム基地局がホームセルにおいて送信する共通パイロット信号の送信電力および周波数を自律的に設定することが検討されている。このような方法は、例えば特許文献１（１４ページ８行目〜１５ページ ２１行目）に開示されている。さらにホーム基地局は、上位ネットワーク装置から隣接セルＩＤ、使用周波数および符号化に用いているプライマリスクランブリングコードを含む隣接セル情報を受信し、この隣接セル情報に基づいて隣接セルからの受信電力等を測定し、ホーム基地局が用いる最適な周波数および送信電力値を設定することも検討されている（非特許文献３を参照）。このような方法では、ホーム基地局は、隣接基地局からの下り受信電力ＲＳＳＩ（Received Signal Strength Indicator）やＣＰＩＣＨの受信電力ＲＳＣＰ（Received Signal Code Power）を周波数ごとに測定し、最も測定値の低い周波数をホーム基地局に設定する。 【０００６】
また、Ｗ−ＣＤＭＡのシステムでは、移動局の通信状態として、Ｉｄｌｅ Ｍｏｄｅ、ＵＲＡ＿ＰＣＨ、ＣＥＬＬ＿ＰＣＨ、ＣＥＬＬ＿ＦＡＣＨ、及びＣＥＬＬ＿ＤＣＨの５つの状態が規定されている（非特許文献４を参照）。ＣＥＬＬ＿ＤＣＨ状態にある移動局は、帰属する基地局を特定し、個別チャネルを用いて通信している。一方、ＣＥＬＬ＿ＤＣＨ以外の状態にある移動局は、帰属する基地局を特定せず、制御情報等を送信する度に基地局を選択している。３ＧＰＰのＲｅｌｅａｓｅ７において、移動局の状態として新たに"Ｅｎｈａｎｃｅｄ ＣＥＬＬ＿ＦＡＣＨ"が規定された（非特許文献５を参照）。Ｅｎｈａｎｃｅｄ ＣＥＬＬ＿ＦＡＣＨでは、ＣＥＬＬ＿ＦＡＣＨ状態にある移動局が通信速度向上のためにＨＳＤＰＡ（High Speed Downlink Packet Access）を使う。ＨＳＤＰＡでは、Ｈ−ＲＮＴＩ（HS-DSCH Radio Network Temporary Identifier）を各移動局に割り当てる。制御チャネルＨＳ−ＳＣＣＨ（Shared Control Channel for HS-DSCH）は、制御情報を移動局に通知するためのチャネルであり、宛先の移動局を区別するために、Ｈ−ＲＮＴＩを用いて符号化している。具体的には、ＨＳ−ＳＣＣＨに付加されるＣＲＣ値が宛先の移動局のＨ−ＲＮＴＩによってマスクされる。移動局は、ＨＳ−ＳＣＣＨを受信し、割り当てられたＨ−ＲＮＴＩを用いて復号できた場合（つまり、マスクされたＣＲＣ値が自身のＨ−ＲＮＴＩを用いて復号できた場合）、自分宛のデータが送信されていると判断する。さらに、セルに属する全ての移動局に通知するために、Ｃｏｍｍｏｎ Ｈ−ＲＮＴＩという識別子も規定されている。ＨＳ−ＳＣＣＨをＣｏｍｍｏｎ Ｈ−ＲＮＴＩを用いて符号化した場合、セルに属する全ての移動局はＨＳ−ＳＣＣＨに含まれる情報を受信可能となる。
【先行技術文献】
【特許文献】
【０００７】
【特許文献１】英国特許出願公開第２４２８９３７号明細書
【非特許文献】
【０００８】
【非特許文献１】3GPP TS25.467 V1.0.0 (2008-12), Technical Specification Group Radio Access Network; UTRAN Architecture for 3G Home NodeB; Stage 2 (Release 8)
【非特許文献２】3GPP TS25.214 V8.3.0 (2008-09), Technical Specification Group Radio Access Network; Physical layer procedures (FDD) (Release 8)
【非特許文献３】R4-082314 Text Proposal for HNB TR25.9xx: Guidance on HNB Measurements
【非特許文献４】3GPP TS25.331 V8.4.0 (2008-09) Radio Resource Control (RRC); Protocol specification
【非特許文献５】3GPP TS25.308 V8.3.0 (2008-09) High Speed Downlink Packet Access (HSDPA); Overall Description; Stage 2
【発明の概要】
【発明が解決しようとする課題】
【０００９】
１対の無線送信機及び無線受信機を持つホーム基地局が、ホームセル運用中に隣接セルを測定しようとする場合、１対の無線送信機及び無線受信機を通常のセル運用のため及び隣接セル測定のために共用しなければならない。そのため、隣接セルの測定を行う際には、ホーム基地局の無線受信機は移動局からの上りデータの受信を止める必要がある。また、ホームセルで使用している周波数に対しても隣接セルの測定を行わなければならない。したがって、ホーム基地局の下り送信による干渉を避けるために、隣接セルの測定を行う際に無線送信機による下り送信を止める必要がある。結果として、ホーム基地局は隣接セル測定時に、ホームセルに属する移動局に対する送受信の両方を止める必要がある。しかし、ホーム基地局の送受信を停止しても、ホームセルに属する移動局や隣接セルに属する移動局は、送受信の停止を瞬時に認識することができないという問題がある。【００１０】
ホーム基地局が隣接セル測定中であることを移動局が認識できないことによって、例えば以下に述べるような不具合の発生が懸念される。第１に、ホーム基地局が移動局からの受信を停止している間にホームセルに属する移動局が上りデータ送信を継続した場合、ホーム基地局は移動局からの上りデータを受信できない。このため、移動局が所定回数まで再送を繰り返すことによって、端末電力の浪費および隣接への干渉が増加するおそれがある。【００１１】
また、ホーム基地局による送信が停止されている間に移動局がホームセルの下り送信電力を測定した場合、移動局は、ホーム基地局からの下り電力が減少したと判断し、他セルへハンドオーバーする可能性がある。その結果、ハンドオーバー処理によるトラヒック増加や他セルの負荷の増加が生じるおそれがある。【００１２】
また、隣接セルに属する移動局が、ホーム基地局が隣接セル測定中、つまりホーム基地局による送信が停止されている間にホームセルからの下り電力を測定した場合、正常な測定ができない。このため、通常ならばホームセルへハンドオーバーするべきだったとしても、ハンドオーバーが実行されない可能性がある。ホームセルに接続可能な移動局は、優先的にホームセルに帰属し、マクロセルの負荷を下げることが期待されている。そのため、移動局が、ホームセルの下り送信電力を正常に測定できず、ハンドオーバーが実行されないことで、マクロセルの負荷が増加することが懸念される。 【００１３】
そこで、本発明は上記課題を鑑みて発明されたものであって、その目的は、基地局が自身のセルの運用中に移動局との間の無線送受信を中断して隣接セルから到達する無線信号の測定を行う場合に、隣接セルの測定中であることを移動局が認識できるようにすることである。
【課題を解決するための手段】
【００１４】
本発明の第１の態様にかかる基地局装置は、自身のセルの運用中に移動局との間の無線送信及び無線受信の少なくとも一方を中断して隣接セルから到達する無線信号の測定を行うよう構成される。さらに、当該基地局装置は、前記測定の開始に先立って、前記測定の実行を示す予告情報を前記移動局に通知するよう構成される。【００１５】
本発明の第２の態様にかかる基地局装置は、移動局との間の無線送信及び無線受信の少なくとも一方を中断して周辺のセルから到達する無線信号の測定を行う隣接基地局から、前記測定の実行を通知するために前記測定の開始に先立って送信される予告情報を受信するよう構成される。さらに、本発明の第２の態様にかかる基地局装置は、前記予告情報を受信した場合に、前記測定の実施を示す情報を自身のセルに接続している移動局に送信するよう構成される。【００１６】
本発明の第３の態様にかかる移動局装置は、予告情報を受信するよう構成される。ここで、予告情報は、移動局との間の無線送信及び無線受信の少なくとも一方を中断して周辺のセルから到達する無線信号の測定を行う基地局によって前記測定が実行されることを示す。さらに、本発明の第３の態様にかかる移動局装置は、前記予告情報に基づいて、前記基地局との間の送信動作および受信動作の少なくとも一方を停止するよう構成される。【００１７】
本発明の第４の態様にかかる通信システムは、第１の移動局及び第１の基地局を含む。前記第１の基地局は、自身のセルの運用中に前記第１の移動局との間の無線送信及び無線受信の少なくとも一方を中断して隣接セルから到達する無線信号の測定を行うよう構成される。さらに、前記第１の基地局は、前記測定の開始に先立って、前記測定の実施を示す予告情報を送信するよう構成される。また、前記第１の移動局は、前記予告情報に基づいて、前記第１の基地局に対する無線信号の送信動作および前記第１の基地局からの無線信号の受信動作の少なくとも一方を停止するよう構成される。【００１８】
本発明の第５の態様にかかる基地局装置の制御方法は、自身のセルの運用中に移動局との間の無線送信及び無線受信の少なくとも一方を中断して隣接セルから到達する無線信号の測定を開始するに先立って、前記測定の実行を示す予告情報を前記移動局に送信することを含む。【００１９】
本発明の第６の態様にかかる基地局装置の制御方法は、
（ａ）移動局との間の無線送信及び無線受信の少なくとも一方を中断して周辺のセルから到達する無線信号の測定を行う隣接基地局から、前記測定の実行を通知するために前記測定の開始に先立って送信される予告情報を受信すること、及び
（ｂ）前記予告情報を受信した場合に、前記測定の実行を示す情報を自身のセルに接続している移動局に通知すること、を含む。【００２０】
本発明の第７の態様にかかる移動局装置の制御方法は、
（ａ）移動局との間の無線送信及び無線受信の少なくとも一方を中断して周辺のセルから到達する無線信号の測定を行う基地局によって前記測定が実行されることを示す予告情報を受信すること、及び
（ｂ）前記予告情報に基づいて、前記基地局に対する無線信号の送信動作および前記基地局からの無線信号の受信動作の少なくとも一方を停止すること、を含む。【００２１】
本発明の第８の態様にかかるプログラムが格納された記録媒体は、基地局装置に関する制御をコンピュータに実行させるためのプログラムが格納された記録媒体である。ここで、前記制御は、前記基地局装置によるセルの運用中に移動局との間の無線送信及び無線受信の少なくとも一方を中断して隣接セルから到達する無線信号の測定を開始するに先立って、前記測定の実行を通知するために前記移動局に送信される予告情報を生成することを含む。【００２２】
本発明の第９の態様にかかるプログラムが格納された記録媒体は、基地局装置に関する制御をコンピュータに実行させるためのプログラムが格納された記録媒体である。ここで、前記制御は、
（ａ）移動局との間の無線送信及び無線受信の少なくとも一方を中断して周辺のセルから到達する無線信号の測定を行う隣接基地局から、前記測定の実行を通知するために前記測定の開始に先立って送信される予告情報を取得すること、及び
（ｂ）前記予告情報に基づいて、前記測定の実行を通知するために、前記基地局装置によって形成されるセルに接続している移動局に送信される情報を生成すること、を含む。【００２３】
本発明の第１０の態様にかかるプログラムが格納された記録媒体は、移動局装置に関する制御をコンピュータに実行させるためのプログラムが格納された記録媒体である。ここで、前記制御は、
（ａ）移動局との間の無線送信及び無線受信の少なくとも一方を中断して周辺のセルから到達する無線信号の測定を行う基地局によって前記測定が実行されることを示す予告情報を取得すること、及び
（ｂ）前記予告情報に基づいて、前記基地局に対する無線信号の送信動作および前記基地局からの無線信号の受信動作の少なくとも一方を停止させること、を含む。
【発明の効果】
【００２４】
例えば、上述した本発明の第１の態様にかかる基地局装置によれば、基地局が自身のセルの運用中に移動局との間の無線送受信を中断して隣接セルから到達する無線信号の測定を行う場合に、隣接セルの測定中であることを移動局が認識可能となる。
【図面の簡単な説明】
【００２５】
【図１】発明の実施の形態１にかかる無線通信システムの構成例を示すブロック図である。
【図２】発明の実施の形態１にかかる無線通信システムの他の構成例を示すブロック図である。
【図３】図１に含まれるホーム基地局の構成例を示すブロック図である。
【図４】図１に含まれる移動局の構成例を示すブロック図である。
【図５】発明の実施の形態１における隣接セル測定手順の一例を示すシーケンス図である。
【図６】ホーム基地局による隣接セルの測定手順の具体例を示すフローチャートである。
【図７】ホームセルに接続する移動局による送受信停止・再開手順の具体例を示すフローチャートである。
【図８】ホームセルに接続する移動局による周波数切り替え手順の具体例を示すフローチャートである。
【図９】発明の実施の形態２にかかる隣接基地局の構成例を示すブロック図である。
【図１０】発明の実施の形態２における隣接セル測定手順の一例を示すシーケンス図である。
【図１１】隣接基地局の動作例を示すフローチャートである。
【図１２】隣接セルに接続する移動局による受信停止・再開手順の具体例を示すフローチャートである。
【発明を実施するための形態】
【００２６】
以下では、本発明を適用した具体的な実施の形態について、図面を参照しながら詳細に説明する。各図面において、同一要素には同一の符号が付されており、説明の明確化のため、必要に応じて重複説明は省略される。
【００２７】
＜第１の実施の形態＞
図１は、本実施の形態にかかる無線通信システムの構成例を示す図である。なお、本実施の形態にかかる無線通信システムは、ＦＤＤ（Frequency division Duplex）−ＣＤＭＡ、より具体的にはＷ−ＣＤＭＡ方式の無線通信システムであるとして説明を行う。始めに図１に含まれる各要素について順に説明する。
【００２８】
ホーム基地局１は、ホームゲートウェイ（ホームＧＷ）８１を介して移動体通信事業者のコアネットワーク８３に接続されており、移動局３−１とコアネットワーク８３との間でトラフィックを中継する。ホーム基地局１は、例えば、ＡＤＳＬ（Asymmetric Digital Subscriber Line）、光ファイバ、同軸ケーブル等の通信回線に接続して使用され、ＩＰ（Internet Protocol）通信網やインターネット等のＩＰネットワークを経由してホームＧＷ８１に接続される。
【００２９】
隣接基地局２は、隣接セルを生成し、移動局３−２と通信を行う。図１の例では、隣接セルは、ホーム基地局１が生成するホームセル（プライマリセル及びセカンダリセル）を覆うように形成される上位階層のマクロセルである。隣接基地局２は、無線ネットワーク制御装置（ＲＮＣ：Radio Network Controller）８２を介してコアネットワーク８３に接続されており、移動局３−２とコアネットワーク８３との間でトラフィックを中継する。
【００３０】
なお、図１では、１つの隣接セルのみを図示しているが、隣接基地局２及び隣接セルは複数存在してもよい。また、ホームセルに接続する移動局の数は複数であってもよい。隣接セルに接続する移動局も複数であってもよい。また、図２に示すように、隣接基地局２は、ホーム基地局であってもよい。なお、図２に示す隣接基地局２は、ホームＧＷ８１とは別のホームＧＷを介してコアネットワーク８３に接続されてもよい。
【００３１】
ホーム基地局１は、隣接セルから送信される無線信号の受信品質の測定を行い、測定結果を利用して自身のホームセルを形成するために使用する周波数を決定する。また、ホーム基地局１は、ホームセルの運用を開始した後にも、受信品質の測定を実行し、測定結果を利用したホームセル用周波数の再決定を行う。なお、ホームセルの運用を開始した後に行われる受信品質の測定は、定期的に行ってもよいし、オペレータの実行指示に応じて行ってもよい。
【００３２】
なお、現在運用中のホームセルで使用されている周波数は、隣接セルによっても使用されている可能性がある。このため、ホーム基地局１は、現在運用中のホームセルで使用されている周波数についても受信品質の測定を行う。したがって、ホーム基地局１は、少なくとも運用中のホームセルで使用されている周波数に関して測定を行う場合には、ホームセルに接続している移動局３−１との間の無線送信及び無線受信を停止する。なお、装置コストを低減するために、隣接セルから到達する無線信号を受信する無線受信機は、移動局３−１からの信号を受信する無線受信機と兼用されてもよい。この場合、ホーム基地局１は、ホームセルで使用されているのとは異なる周波数に関して受信品質の測定を行う場合であっても、移動局３−１とからの無線受信を停止する。
【００３３】
ホーム基地局１は、隣接セルの測定中であることを移動局３−１が認識できないことによる不具合の発生を抑止するために、以下に述べるように動作する。すなわち、ホームセルの運用中に移動局３−１との間の無線送信及び無線受信の少なくとも一方を中断して隣接セルから到達する無線信号の測定を開始する場合、測定開始に先立って、測定の実施を示す測定予告通知（予告情報）を移動局３−１に送信する。これにより、移動局３−１は、測定予告通知を受信によって、ホーム基地局１が隣接セルの測定を開始することを認識できる。例えば、移動局３−１は、測定予告通知を受信した場合に、ホーム基地局１に対する無線信号の送信動作およびホーム基地局１からの無線信号の受信動作の少なくとも一方を停止すればよい。
【００３４】
次に、ホーム基地局１及び移動局３−１の構成例を図３及び４を用いて説明する。図３は、ホーム基地局１の構成の一例を示すブロック図である。なお、図３は、ホーム基地局１による隣接セルの測定に関連する部分を図示しており、その他の構成部分は省略されている。図３において、無線通信部１０１は、移動局３−１との無線通信を行う。受信処理部１０２は、ホームセル内の移動局３−１から受信した上り信号を処理する。送信処理部１０３は、受信処理部１０２で処理される上り信号のうちの転送データを上位ネットワーク装置（ホームＧＷ８１）へ送信するための処理を行う。通信部１０４は、上位ネットワーク装置と通信する。通信部１０４は、ホームＧＷ８１から下り信号を受信すると、受信処理部１０５へ転送する。受信処理部１０５に転送された下り信号は、送信処理部１０６を経て無線通信部１０１から移動局３−１に送信される。
【００３５】
以下では、ホーム基地局１による隣接セルの測定に関する動作について説明する。受信処理部１０２は、送受信制御部１０７から隣接セルの測定を指示された場合、予め定められた送受信停止パターンで隣接セルの無線信号を測定する。例えば、ＣＰＩＣＨ受信電力（ＲＳＣＰ）、下りＲＳＳＩ等を測定すればよい。ここで、隣接セルの測定は、ホーム基地局１が使用可能な全ての周波数範囲に関して行えばよい。また、送受信停止パターンは、移動局３−１に対する無線送信及び無線受信の少なくとも一方が間欠的に停止される期間を示す。言い換えると、送受信停止パターンは、基地局１と移動局３−１の間の同期確認、発着信の通知などのためにホーム基地局１が移動局３−１への送信又は移動局３−１からの受信を行うタイミングを示す。
【００３６】
受信処理部１０２は、隣接セルの測定結果を送受信制御部１０７へ転送する。送受信制御部１０７は、受信処理部１０２から転送された隣接セルの測定結果を分析し、ホームセルに割り当てる周波数を決定する。例えば、送受信制御部１０７は、測定を行った使用可能な周波数のうち、最も干渉レベルの低い周波数をホームセルに割り当てる周波数として選択すればよい。送受信制御部１０７は、決定した周波数の設定情報を送信処理部１０６に通知する。
【００３７】
また、送受信制御部１０７は、隣接セルの測定を開始する場合に、送受信停止パターンを設定する。送受信停止パターンは、送信処理部１０６を経て無線通信部１０１からホームセル内の移動局３−１へ通知される。送受信停止パターンは、上述した測定予告通知に含めればよい。さらに送受信制御部１０７は、移動局３−１を含むホームセルに接続されている全ての移動局の状態を管理し、ＣＥＬＬ＿ＤＣＨ状態の移動局を識別する。
【００３８】
また、送受信制御部１０７は、測定の終了を示す情報（以下、測定終了通知と呼ぶ）を移動局３−１に送信するように送信処理部１０６を制御してもよい。なお、測定予告通知が測定の終了タイミングを識別可能な情報を含む場合には、測定終了通知の送信は必ずしも行わなくてもよい。
【００３９】
次に、移動局３−１の構成例について説明する。図４は、移動局３−１の構成の一例を示すブロック図である。なお、図４は、ホーム基地局１による隣接セルの測定に関連する部分を図示しており、その他の構成部分は省略されている。図４において、無線通信部３０１は、ホーム基地局１との無線通信を行う。受信処理部３０２は、ホーム基地局１からのデータを受信し、受信データが測定予告通知である場合はこれを送受信制御部３０４に転送する。送受信制御部３０４は、測定予告通知に基づいて、ホーム基地局１からの無線受信及びホーム基地局１への無線送信を停止および再開を制御する。具体的には、受信処理部３０２は、送受信制御部３０４からの指示に従って、ホーム基地局１の共通パイロットチャネルの受信電力測定の開始または停止を実行する。送信データ制御部３０３は、送受信制御部３０４からの指示に従って、上りデータ送信の開始または停止を実行する。
【００４０】
続いて以下では、ホームセルの運用中に隣接セルの測定を行う手順の具体例について説明する。図５は、隣接セル測定手順の一例を示すシーケンス図である。ホーム基地局１および移動局３−１は、運用中である。
【００４１】
ステップＳ１０１において、ホーム基地局１の送受信制御部１０７は、ホームセルに存在する移動局（移動局３−１等）の接続状況を確認する。ホームセルにＣＥＬＬ＿ＤＣＨ状態にある移動局が存在する場合、送受信制御部１０７は、隣接セルの測定を行わず、所定時間後に再度移動局の接続状況を確認する。一方、ＣＥＬＬ＿ＤＣＨ状態にある移動局が存在しない場合、送受信制御部１０７は、送受信停止パターン情報を受信処理部１０２および送信処理部１０６に通知する。送信処理部１０６は通知された送受信停止パターン情報を含む測定予告通知を移動局３−１に送信する（ステップＳ１０２）。
【００４２】
送信処理部１０６は、ホームセルに属する全ての移動局が受信可能なチャネルを用いて測定予告通知を送信すればよい。例えば、測定予告通知の送信には、報知チャネルＢＣＨを用いればよい。また、測定予告通知の送信には、ホームセルに属する全ての移動局が受信可能な共有チャネル、具体的にはＣｏｍｍｏｎ Ｈ−ＲＮＴＩで符号化されたＨＳ−ＳＣＣＨを用いてもよい。また、測定予告通知の送信には、"Radio Bearer Reconfiguration"などのＲＲＣメッセージを用いてもよい。なお、ＲＲＣメッセージの詳細は、特許文献４に記載されている。また、測定予告通知は、報知チャネルＢＣＨおよび共有チャネル（例えばＨＳ−ＳＣＣＨ）によって送信されてもよい。測定終了通知に関しても測定予告通知と同様の送信方法を用いればよい。
【００４３】
移動局３−１の受信処理部３０２は、測定予告通知を受信すると、送受信制御部３０４へ転送する。送受信制御部３０４は、測定予告通知に含まれる送受信停止パターン情報に基づいて、ホーム基地局１との間の送受信を制限する（ステップＳ１０３）。具体的には、送受信制御部３０４は、送信データ制御部３０３に対する上り送信の制限と、受信処理部３０２に対する下りパイロットチャネルの受信電力測定の制限を行う。
【００４４】
測定予告通知を送信後のステップＳ１０４において、ホーム基地局１の送受信制御部１０７は、送受信停止パターンに従って無線通信部１０１の下り送信を停止させる。送信停停止期間中に受信処理部１０２は、隣接セルを測定する（ステップＳ１０５）。隣接セルの測定が完了した場合、送受信制御部１０７は、無線通信部１０１の下り送信を再開させる（ステップＳ１０６）。送受信制御部１０７は、測定の終了を示す測定終了通知を移動局３−１に送信するよう、送信処理部１０６を制御する（ステップＳ１０７）。一方、使用可能な全ての周波数に関する隣接セルの測定が未完了である場合、送受信制御部１０７は、ステップＳ１０４に戻り、再度下り送信を停止し、隣接セルを測定する。
【００４５】
移動局３−１の受信処理部３０２は、測定終了通知を受信すると、これを送受信制御部３０４へ転送する。送受信制御部３０４は、測定終了通知の受信に応じて、上り送信および下り電力測定の制限の解除を受信処理部３０２および送信処理部３０５へ通知する（ステップＳ１０８）。
【００４６】
ステップＳ１０９では、送受信制御部１０７は、隣接セルの測定結果を判定するフェーズに移行する。例えば、測定結果の判定フェーズでは、現在使用している周波数に比べてＲＳＣＰ受信電力がより低い周波数が存在するか否かを判定すればよい。また、現在使用している周波数に比べてＲＳＳＩ測定値がより低い周波数が存在するか否かを判定してもよい。条件を満足する周波数を発見した場合、ホーム基地局１は、該当する受信電力の低い周波数に切り替える手順を開始する（ステップＳ１１１）。なお、ホーム基地局１は、周波数チャネルの切り替えに先立って、新たに使用する周波数に関する情報（チャネル設定情報）を送信処理部１０６から移動局３−１に送信する（ステップＳ１０９）。ホーム基地局１は、チャネル設定情報の送信から所定時間後に使用する周波数を切り替える。また、移動局３−１の送受信制御部３０４は、受信したチャネル設定情報に基づいて、受信する周波数を所定時間内に切り替える。
【００４７】
続いて以下では、ホーム基地局１による隣接セルの測定手順、移動局３−１による送受信停止・再開手順、および移動局３−１による周波数切り替え手順の各々につき個別に説明する。図６は、送受信制御部１０７の隣接セル測定の動作を示したフローチャートである。ホーム基地局１は、隣接セル測定の開始に応答して、図６の動作を開始する。
【００４８】
ステップＳ２０１において、ホーム基地局１は、ホームセルに属する全ての移動局（移動局３−１等）の接続状況を確認する。ＣＥＬＬ＿ＤＣＨ状態の移動局が存在する場合は、隣接セル測定の動作を中止し、所定時間後に再びステップＳ２０１を実行する。ＣＥＬＬ＿ＤＣＨ状態の移動局が存在しない場合、ホーム基地局１は、送受信停止パターン情報を含む測定予告通知を送信する（ステップＳ２０２）。ステップＳ２０３では、ホーム基地局１は、所定の送受信停止パターンで下り送信電力を停止する。ステップＳ２０４では、ホーム基地局１は、送信電力停止期間中に隣接セルを測定する。例えば、ホーム基地局１は、各周波数の下りパイロットチャネルの受信電力（ＲＳＣＰ）を測定すればよい。ステップＳ２０５では、所定の送受信停止パターンに従って測定を停止するとともに、下り送信を再開する（ステップＳ２０５）。
【００４９】
ステップＳ２０６において、ホーム基地局１は、隣接セルの測定完了状況を判断する。すべての周波数の下りパイロットチャネルの受信電力の測定が完了した場合、ホーム基地局１は、測定の終了を示す測定予告通知を送信する（ステップＳ２０７）。測定が完了していない場合、ホーム基地局１は、ステップＳ２０３に戻り、隣接セルの測定を再度実行する。
【００５０】
ステップＳ２０８において、ホーム基地局１は、隣接セルの測定結果の判定を行う。例えば、現在ホームセルで使用している周波数よりも妥当な周波数が存在するか否かを以下の手順によって判定すればよい。始めに、ホーム基地局１が使用可能な各周波数におけるＣＰＩＣＨのＲＳＣＰ測定値ＰｒｓＣｐ．ｆｘ（ｘ＝１、２・・・）の中に、現在ホーム基地局が使用している周波数におけるＣＰＩＣＨのＲＳＣＰ測定値ＰｒｓＣｐより低いものが存在するかを判定する。当該条件（すなわちＰｒｓＣｐ．ｆｘ＜ＰｒｓＣｐ）を満足する周波数が存在する場合、ホームセルの周波数を切り替えるためのステップＳ２０９に移行する。一方、条件（ＰｒｓＣｐ．ｆｘ＜ＰｒｓＣｐ）を満足する周波数が存在しない場合、ホーム基地局１は、現在使用している周波数を継続するため、隣接セル測定の動作プロセスを終了する。
【００５１】
ステップＳ２０９において、ホーム基地局１は、ステップＳ２０８で判定したＣＰＩＣＨのＲＳＣＰ測定値が最も低い周波数に関する情報（チャネル設定情報）を移動局３−１に送信する。ホーム基地局１は、チャネル設定情報の送信から所定時間後に周波数を切り替え（ステップＳ２１０）、プロセスを終了する。
【００５２】
次に、移動局３−１による送受信停止・再開手順の具体例を図７のフローチャートを用いて説明する。移動局３−１は、ホーム基地局１が報知する測定予告通知を受信することに応答して、図７に示す動作を開始する。
【００５３】
ステップＳ３０１において、移動局３−１は、ホーム基地局１が報知する測定予告通知を受信した場合、送受信停止パターン情報に基づいて上り送信および下り電力測定を制限する（ステップＳ３０２）。測定予告通知を受信していない場合、移動局３−１は、ステップＳ３０１の判定を繰り返し行う。
【００５４】
ステップＳ３０３において、移動局３−１は、ホーム基地局１が報知する測定終了通知を受信した場合、上り送信および下り電力測定の制限を解除し（ステップＳ３０４）、ステップＳ３０１に戻る。測定終了通知を受信していない場合、移動局３−１は、ステップＳ３０３の判定を繰り返し行う。
【００５５】
次に、移動局３−１による周波数切り替え手順の具体例を図８のフローチャートを用いて説明する。移動局３−１は、ホーム基地局１から周波数情報（チャネル設定情報）を受信することに応答して、図８の動作を開始する。
【００５６】
ステップＳ４０１において、移動局３−１は、ホーム基地局１が報知する周波数情報を受信した場合、周波数を切り替えるステップＳ４０２に移行する。周波数情報を受信していない場合、周波数情報の受信を待つステップＳ４０１に戻る。
【００５７】
ステップＳ４０２では、移動局３−１は、受信した周波数情報に基づいて周波数を切り替え、再度周波数情報の受信を待つステップＳ４０１に戻る。
【００５８】
上述したように、ホーム基地局１は、測定予告通知をホームセルに属する移動局３−１に通知するため、移動局３−１が送受信停止パターンを認識できる。このため、移動局３−１が隣接セル測定の開始を認識できないことに起因する不具合の発生を抑制できる。例えば、移動局３−１の不本意なハンドオーバー動作の発生、並びに移動局３−１の上りデータ送信が隣接セル測定中に継続されることによるトラヒックおよび上り干渉量の増加を防ぐことが可能となる。
【００５９】
ところで、隣接セルの測定に伴って測定予告通知を送信するための送受信制御部１０７による処理は、ＡＳＩＣ、ＤＳＰ等の半導体処理装置を用いて実現してもよい。また、当該処理は、図６を用いて説明した処理手順を記述した制御プログラムをマイクロプロセッサ等のコンピュータに実行させることによって実現してもよい。この制御プログラムは、様々な種類の記憶媒体に格納することが可能であり、また、通信媒体を介して伝達されることが可能である。ここで、記憶媒体には、例えば、フレキシブルディスク、ハードディスク、磁気ディスク、光磁気ディスク、ＣＤ−ＲＯＭ、ＤＶＤ、ＲＯＭカートリッジ、バッテリバックアップ付きＲＡＭメモリカートリッジ、フラッシュメモリカートリッジ、不揮発性ＲＡＭカートリッジ等が含まれる。また、通信媒体には、電話回線等の有線通信媒体、マイクロ波回線等の無線通信媒体等が含まれ、インターネットも含まれる。
【００６０】
また、移動局３−１が有する送受信制御部３０４が行う無線送受信の制限・再開に関する処理も、図７を用いて説明した処理手順を記述した制御プログラムをＡＳＩＣ、ＤＳＰ、マイクロプロセッサ等のコンピュータに実行させることによって実現してもよい。
【００６１】
＜第２の実施の形態＞
本実施の形態にかかる無線通信システムの構成例は、先に説明した図１又は２と同様とすればよい。本実施の形態では、"隣接セルに属する移動局３−２"は、ホーム基地局１が隣接セルの測定中であることを認識する。これを実現するために、本実施の形態にかかる隣接基地局２は、ホーム基地局１によって送信される測定予告通知（及び必要に応じて測定終了通知）を受信する。そして、隣接基地局２は、測定予告通知（測定終了通知）を受信した場合に、ホーム基地局１による測定の実行を示す測定開始情報（測定の終了を示す測定終了情報）を、隣接セル内の移動局３−２に通知する。
【００６２】
隣接セル内の移動局３−２は、測定開始情報を受信した場合に、ハンドオーバーの実行判定のために行う周辺のセルのパイロットチャネルの受信電力測定の対象からホーム基地局１（ホームセル）を除外する。その後測定終了情報を受信した場合、移動局３−２は、ホーム基地局１（ホームセル）の除外を解除する。
【００６３】
図９は、本実施の形態の隣接基地局２の構成の一例を示すブロック図である。図９において、無線通信部２０１は、移動局３−２との無線通信を行う。受信処理部２０２は、隣接セル内の移動局から受信した上り信号を処理する。送信処理部２０３は、受信処理部２０２により処理される上り信号のうちの転送データを上位ネットワーク装置へ送信するための処理を行う。通信部２０４は、上位ネットワーク装置と通信する。ここで、上位ネットワーク装置は、隣接基地局２がマクロ基地局である場合にはＲＮＣ８２であり、隣接基地局２がホーム基地局である場合にはホームＧＷ８１又はその他のホームＧＷである。通信部２０４は、上位ネットワーク装置から下り信号を受信すると、受信処理部２０５へ転送する。受信処理部２０５に転送された下り信号は、送信処理部２０６を経て無線通信部２０１へ転送される。
【００６４】
以下では、隣接基地局２による測定予告通知及び測定終了通知の報知動作について説明する。受信処理部２０５は、上位ネットワーク装置から隣接セル情報を受信した場合、測定情報処理部２０７へ転送する。測定情報処理部２０７は、隣接セル情報を受信処理部２０２に供給する。受信処理部２０２は、測定情報処理部２０７から供給された隣接セル情報に基づいてホーム基地局１が送信する報知チャネルＢＣＨを受信する。受信処理部２０２は、ＢＣＨから測定予告通知または測定終了通知を取得した場合、これを測定情報処理部２０７へ転送する。測定情報処理部２０７は、受信処理部２０２から測定予告通知または測定終了通知が転送された場合、自身のセル（つまり図１中の隣接セル）内に報知するために測定開始情報又は測定終了情報を生成し、これを送信処理部２０６に供給する。送信処理部２０６は、測定情報処理部２０７から通知された測定開始情報又は測定終了情報をセル内に報知する。
【００６５】
なお、ここでは、ホーム基地局１が報知チャネルＢＣＨを用いて測定予告通知及び測定終了通知を送信する例を示した。この場合、隣接基地局２は、隣接セル情報に含まれるホーム基地局１のプライマリスクランブリングコードを用いて、ホーム基地局１のＢＣＨを受信すればよい。なお、ホーム基地局１は、ホームセルに接続していない隣接基地局２等の無線局が受信可能なチャネルを用いて測定予告通知及び測定終了通知を送信すればよい。また、ホーム基地局１から隣接基地局２への測定予告通知及び測定終了通知の送信は、コアネットワーク８３を経由して行われてもよい。また、測定開始情報又は測定終了情報の隣接セル内への送信は、隣接セルに接続している全ての移動局が受信可能な方法を用いれば良く、例えば、ＢＣＨ、Ｃｏｍｍｏｎ Ｈ−ＲＮＴＩで符号化されたＨＳ−ＳＣＣＨ、ＲＲＣメッセージを用いればよい。
【００６６】
隣接セルに属する移動局３−２の構成は、上述した図４と同様とすればよい。
【００６７】
図１０は、本実施の形態における隣接セル測定手順の一例を示すシーケンス図である。ホーム基地局１、隣接基地局２および移動局３−１は、運用中である。また、隣接基地局２は隣接セル情報を上位ネットワーク装置から通知されているとする。なお、図１０中のホーム基地局１及び移動局３−１の処理手順は、上述した図５と同様であるため重複説明を省略する。
【００６８】
隣接基地局２の受信処理部２０２は、ホーム基地局１から送信された測定予告通知を受信した場合、これを測定情報処理部２０７へ転送する。測定情報処理部２０７は、測定開始情報を生成する。測定開始情報は、測定予告通知に含まれる送受信停止パターン情報と、送信元のホーム基地局１（またはホームセル）の識別情報などを含む。測定開始情報は、無線通信部２０１から隣接セル内の移動局に送信される（ステップＳ５０１）。
【００６９】
また、隣接基地局２の受信処理部２０２は、ホーム基地局１から送信された測定終了通知を受信した場合、これを測定情報処理部２０７へ転送する。測定情報処理部２０７は、測定終了情報を生成する。測定終了情報は、送信元のホーム基地局１（またはホームセル）の識別情報等を含む。測定終了情報は、無線通信部２０１から隣接セル内の移動局に送信される（ステップＳ５０２）。
【００７０】
続いて以下では、隣接基地局２による測定開始情報及び測定終了情報の送信手順と、移動局３−２による受信停止・再開手順の各々につき個別に説明する。図１１は、隣接基地局２が有する測定情報処理部２０７の動作の具体例を示したフローチャートである。測定情報処理部２０７は、ホーム基地局１によって送信された測定予告通知を受信することに応答して、図１１の動作を開始する。
【００７１】
ステップＳ６０１において、隣接基地局２は、ホーム基地局１から測定予告通知を受信した場合、自身のセル（図１の隣接セル）に対して上述した測定開始情報を送信する（ステップＳ６０２）。ステップＳ６０１において、測定予告通知を受信していない場合、隣接基地局２は、ステップＳ６０１の判定を繰り返す。
【００７２】
ステップＳ６０３において、隣接基地局２は、ホーム基地局１から測定終了通知を受信した場合、自身のセル（図１の隣接セル）に対して上述した測定終了情報を送信し（ステップＳ６０４）、ステップＳ６０１に戻る。ステップＳ６０３において、測定終了通知を受信していない場合、隣接基地局２は、ステップＳ６０３の判定を繰り返す。
【００７３】
図１２は、隣接セルに属する移動局３−２が隣接基地局２から測定開始情報および測定終了情報を受信した場合の送受信制御部３０４の動作例を示したフローチャートである。移動局３−２は、測定開始情報を受信することに応答して、図１２の動作を開始する。
【００７４】
ステップＳ７０１において、移動局３−２は、隣接基地局２から送信される測定開始情報を受信したか否かを判定する。測定開始情報を受信した場合、測定開始情報に含まれる送受信停止パターン情報に基づいて、移動局３−２は、ホーム基地局１が隣接セルを測定している期間中におけるホームセルの下り電力測定を制限する（ステップＳ７０２）。なお、移動局３−２は、ホーム基地局１が形成するホームセルのＲＳＣＰ測定を選択的に停止してもよいし、ハンドオーバー判定のための周辺セルのＲＳＣＰ測定の全体を停止してもよい。ステップＳ７０１において測定開始情報を受信していない場合、移動局３−２は、ステップ７０１の判定を繰り返す。
【００７５】
ステップＳ７０３において、移動局３−２は、隣接基地局２から送信される測定終了情報を受信したか否かを判定する。測定終了情報を受信した場合、移動局３−２は、ホームセルの測定制限を解除し（ステップＳ７０４）、ステップＳ７０１に戻る。ステップＳ７０３において測定終了情報を受信していない場合、移動局３−２は、ステップ７０３の判定を繰り返す。
【００７６】
上述したように、本実施の形態では、ホーム基地局１によって送信された測定予告通知を隣接基地局２が受信した場合、受信した測定予告通知に基づいたホーム基地局１の測定開始情報を自身のセル内へ送信する。これにより、隣接セルに属する移動局３−２は、ホーム基地局１の送信停止を認識できる。したがって、移動局３−２の不本意なハンドオーバー動作の発生を防ぐことができる。
【００７７】
なお、隣接基地局２が有する測定情報処理部２０７が行う測定開始情報及び測定終了情報の送信に関する処理は、図１１を用いて説明した処理手順を記述した制御プログラムをＡＳＩＣ、ＤＳＰ、マイクロプロセッサ等のコンピュータに実行させることによって実現してもよい。また、移動局３−２が有する送受信制御部３０４が行う無線受信の制限・再開に関する処理についても、図１２を用いて説明した処理手順を記述した制御プログラムをＡＳＩＣ、ＤＳＰ、マイクロプロセッサ等のコンピュータに実行させることによって実現してもよい。
【００７８】
上述した発明の実施の形態１及び２では、ホーム基地局１から送受信停止パターンを含む測定予告通知を送信する例を示した。しかしながら、移動局３−１及び３−２が、送受信停止パターンを既知である場合、ホーム基地局１は送受信停止パターンを通知しなくてもよい。つまり、測定予告通知は、測定が開始されること、または移動局からの送信及び受信の少なくとも一方が停止されることを識別可能な情報を含んでいればよい。当該識別情報を含む測定予告通知を受信することで、移動局３−１は、ホーム基地局１による測定の開始を認識することができ、基地局１への送信または基地局１からの受信を停止できる。
【００７９】
また、上述した発明の実施の形態１及び２では、Ｗ−ＣＤＭＡ方式の基地局に本発明を適用する場合について説明した。しかしながら、本発明の適用先の無線通信方式はＷ−ＣＤＭＡ方式に限定されるものではない。例えば、上り回線と下り回線で同一の無線周波数を時間的に分けて使用するＴＤＤ（Time Division Duplex）方式を採用する無線通信システムにも本発明は適用可能である。また、例えば、３ＧＰＰ ＬＴＥ方式の無線通信システムにも本発明は適用可能である。
【００８０】
さらに、本発明は上述した実施の形態のみに限定されるものではなく、既に述べた本発明の要旨を逸脱しない範囲において種々の変更が可能であることは勿論である。
【００８１】
この出願は、２００９年１月９日に出願された日本出願特願２００９−００３５０５を基礎とする優先権を主張し、その開示の全てをここに取り込む。
【符号の説明】
【００８２】
１  ホーム基地局
２  隣接基地局
３−１、３−２  移動局
８１  ホームゲートウェイ（ホームＧＷ）
８２  無線ネットワーク制御装置（ＲＮＣ）
８３  コアネットワーク
１０１  無線通信部
１０２  受信処理部
１０３  送信処理部
１０４  通信部
１０５  受信処理部
１０６  送信処理部
１０７  送信キャリア制御部
２０１  無線通信部
２０２  受信処理部
２０３  送信処理部
２０４  通信部
２０５  受信処理部
２０６  送信処理部
２０７  測定情報処理部
３０１  無線通信部
３０２  受信処理部
３０３  送信データ制御部
３０４  送受信制御部
３０５  送信処理部
【図１】
2010079560.tif 000003
【図２】
2010079560.tif 000004
【図３】
2010079560.tif 000005
【図４】
2010079560.tif 000006
【図５】
2010079560.tif 000007
【図６】
2010079560.tif 000008
【図７】
2010079560.tif 000009
【図８】
2010079560.tif 000010
【図９】
2010079560.tif 000011
【図１０】
2010079560.tif 000012
【図１１】
2010079560.tif 000013
【図１２】
2010079560.tif 000014
【手続補正書】
【提出日】平成22年9月6日(2010.9.6)
【手続補正１】
【補正対象書類名】特許請求の範囲
【補正対象項目名】全文
【補正方法】変更
【補正の内容】
【特許請求の範囲】
【請求項１】
移動局との間の無線送信及び無線受信の少なくとも一方を中断して隣接セルから到達する無線信号の測定を行う測定手段と、
前記測定の実行に関する第１の情報を前記移動局に送信する送信手段と、
を備える基地局装置。
【請求項２】
前記第１の情報は、前記測定が行われる時間を特定可能な情報を含む、請求項１に記載の基地局装置。
【請求項３】
前記測定手段は、前記測定の実行中に前記無線送信及び無線受信の少なくとも一方を間欠的に停止し、
前記第１の情報は、前記無線送信及び無線受信の少なくとも一方の間欠的な停止パターンに関する情報を含む、請求項１に記載の基地局装置。
【請求項４】
前記第１の情報は、前記自身のセルに接続している移動局および前記自身のセルに未接続の無線局がともに受信可能な報知チャネルを用いて送信される、請求項１〜３のいずれか１項に記載の基地局装置。
【請求項５】
前記第１の情報は、前記自身のセルに接続している移動局が受信可能な共有チャネルを用いて送信される、請求項１〜４のいずれか１項に記載の基地局装置。
【請求項６】
前記送信手段は、前記測定が終了した場合に、前記測定の終了を示す終了情報を前記移動局にさらに送信する、請求項１〜５のいずれか１項に記載の基地局装置。
【請求項７】
移動局との間の無線送信及び無線受信の少なくとも一方を中断して周辺のセルから到達する無線信号の測定を行う隣接基地局から、前記測定の実行に関する第１の情報を受信する受信手段と、
前記第１の情報を受信した場合に、前記測定の実行に関する第２の情報を自身のセルに接続している移動局に送信する送信手段と、
を備える基地局装置。
【請求項８】
前記受信手段は、前記隣接基地局の情報が上位装置から供給される隣接セル情報に含まれている場合に、前記隣接基地局の情報を用いて前記第１の情報を受信する、請求項７に記載の基地局装置。
【請求項９】
前記受信手段は、前記隣接基地局から送信され、前記隣接基地局が形成するセルに未接続の無線局が受信可能である報知チャネルを受信し、前記報知チャネルに含まれる前記第１の情報を取得する、請求項７又は８に記載の基地局装置。
【請求項１０】
前記受信手段は、前記測定の終了を伝達するために前記隣接基地局から送信される終了情報をさらに受信し、
前記送信手段は、前記終了情報を受信した場合に、前記測定の終了を示す情報を前記自身のセルに接続している移動局にさらに送信する、請求項７〜９のいずれか１項に記載の基地局装置。
【請求項１１】
移動局との間の無線送信及び無線受信の少なくとも一方を中断して周辺のセルから到達する無線信号の測定を行う第１の基地局から、前記測定の実行に関する第１の情報を受信する受信手段と、
前記第１の情報に基づいて、前記第１の基地局との間の送信動作および受信動作の少なくとも一方を停止する制御手段と、
を備える移動局装置。
【請求項１２】
前記制御手段は、前記第１の基地局が無線送信を停止している期間に、前記第１の基地局に対する上りデータ送信を停止する、請求項１１に記載の移動局装置。
【請求項１３】
前記移動局装置が前記周辺のセルに接続している場合に、前記受信手段は、前記周辺のセルを形成する第２の基地局を経由して前記第１の情報を受信する、請求項１１又は１２に記載の移動局装置。
【請求項１４】
前記受信動作は、前記第１の基地局から送信される無線信号の受信電力測定を含む、請求項１１〜１３のいずれか１項に記載の移動局装置。
【請求項１５】
前記受信動作は、前記第１の基地局から送信され、前記移動局装置のハンドオーバーの実行判定のために使用されるパイロットチャネルの受信電力測定を含む、請求項１１〜１３のいずれか１項に記載の移動局装置。
【請求項１６】
第１の移動局と、
前記第１の移動局との間の無線送信及び無線受信の少なくとも一方を中断して隣接セルから到達する無線信号の測定を行う第１の基地局と、を備え、
前記第１の基地局は、前記測定の実行に関する第１の情報を送信し、
前記第１の移動局は、前記第１の情報に基づいて、前記第１の基地局に対する無線信号の送信動作および前記第１の基地局からの無線信号の受信動作の少なくとも一方を停止する、
通信システム。
【請求項１７】
前記隣接セルを形成する第２の基地局をさらに備え、
前記第２の基地局は、前記第１の情報を受信するとともに、前記第１の情報を受信した場合に、前記測定の実行に関する第２の情報を前記隣接セルに接続している第２の移動局に送信する、請求項１６に記載の通信システム。
【請求項１８】
前記第１の基地局は、前記第１の移動局及び第２の基地局がともに受信可能な報知チャネルを用いて前記第１の情報を送信する、請求項１６又は１７に記載の通信システム。
【請求項１９】
前記第１の基地局は、前記報知チャネルに加えて、前記自身のセルに接続している前記第１の移動局が受信可能な共有チャネルを用いて前記第１の報を送信する、請求項１８に記載の通信システム。
【請求項２０】
移動局との間の無線送信及び無線受信の少なくとも一方を中断して隣接セルから到達する無線信号の測定を行う場合に、前記測定の実行に関する第１の情報を前記移動局に送信することを含む、基地局装置の制御方法。
【請求項２１】
移動局との間の無線送信及び無線受信の少なくとも一方を中断して周辺のセルから到達する無線信号の測定を行う隣接基地局から、前記測定の実行に関する第１の情報を受信し、
前記第１の情報を受信した場合に、前記測定の実行に関する第２の情報を自身のセルに接続している移動局に通知することを含む、基地局装置の制御方法。
【請求項２２】
移動局との間の無線送信及び無線受信の少なくとも一方を中断して周辺のセルから到達する無線信号の測定を行う基地局から、前記測定の実行に関する第１の情報を受信し、
前記第１の情報に基づいて、前記基地局に対する無線信号の送信動作および前記基地局からの無線信号の受信動作の少なくとも一方を停止することを含む、移動局装置の制御方法。
【請求項２３】
基地局装置に関する制御をコンピュータに実行させるためのプログラムが格納された記録媒体であって、
前記制御は、前記基地局装置が移動局との間の無線送信及び無線受信の少なくとも一方を中断して隣接セルから到達する無線信号の測定を実行する場合に、前記測定の実行に関して前記移動局に送信される第１の情報を生成することを含む、プログラムが格納された記録媒体。
【請求項２４】
基地局装置に関する制御をコンピュータに実行させるためのプログラムが格納された記録媒体であって、
前記制御は、
移動局との間の無線送信及び無線受信の少なくとも一方を中断して周辺のセルから到達する無線信号の測定を行う隣接基地局から、前記測定の実行に関する第１の情報を取得し、
前記第１の情報に基づいて、前記測定の実行に関し、前記基地局装置によって形成されるセルに接続している移動局に送信される第２の情報を生成することを含む、プログラムが格納された記録媒体。
【請求項２５】
移動局装置に関する制御をコンピュータに実行させるためのプログラムが格納された記録媒体であって、
前記制御は、
移動局との間の無線送信及び無線受信の少なくとも一方を中断して周辺のセルから到達する無線信号の測定を行う基地局から、前記測定の実行に関する第１の情報を取得し、
前記第１の情報に基づいて、前記基地局に対する無線信号の送信動作および前記基地局からの無線信号の受信動作の少なくとも一方を停止させることを含む、プログラムが格納された記録媒体。
【請求項２６】
前記測定手段は、自身のセルの運用中に前記測定を行う、請求項１〜６のいずれか１項に記載の基地局装置。
【請求項２７】
前記第１の情報は、前記測定の実行を予告するために、前記測定の開始に先立って送信される、請求項１〜６並びに２６のいずれか１項に記載の基地局装置。
【手続補正書】
【提出日】平成23年6月22日(2011.6.22)
【手続補正１】
【補正対象書類名】特許請求の範囲
【補正対象項目名】全文
【補正方法】変更
【補正の内容】
【特許請求の範囲】
【請求項１】
移動局との間の無線送信及び無線受信の少なくとも一方を中断して隣接セルから到達する無線信号の測定を行う測定手段と、
前記測定の実行に関する第１の情報を前記移動局に送信する送信手段と、
を備える基地局装置。
【請求項２】
前記第１の情報は、前記測定が行われる時間を特定可能な情報を含む、請求項１に記載の基地局装置。
【請求項３】
前記測定手段は、前記測定の実行中に前記無線送信及び無線受信の少なくとも一方を間欠的に停止し、
前記第１の情報は、前記無線送信及び無線受信の少なくとも一方の間欠的な停止パターンに関する情報を含む、請求項１に記載の基地局装置。
【請求項４】
前記第１の情報は、前記自身のセルに接続している移動局および前記自身のセルに未接続の無線局がともに受信可能な報知チャネルを用いて送信される、請求項１〜３のいずれか１項に記載の基地局装置。
【請求項５】
前記第１の情報は、前記自身のセルに接続している移動局が受信可能な共有チャネルを用いて送信される、請求項１〜４のいずれか１項に記載の基地局装置。
【請求項６】
前記送信手段は、前記測定が終了した場合に、前記測定の終了を示す終了情報を前記移動局にさらに送信する、請求項１〜５のいずれか１項に記載の基地局装置。
【請求項７】
移動局との間の無線送信及び無線受信の少なくとも一方を中断して周辺のセルから到達する無線信号の測定を行う隣接基地局から、前記測定の実行に関する第１の情報を受信する受信手段と、
前記第１の情報を受信した場合に、前記測定の実行に関する第２の情報を自身のセルに接続している移動局に送信する送信手段と、を備える基地局装置。
【請求項８】
前記受信手段は、前記隣接基地局の情報が上位装置から供給される隣接セル情報に含まれている場合に、前記隣接基地局の情報を用いて前記第１の情報を受信する、請求項７に記載の基地局装置。
【請求項９】
前記受信手段は、前記隣接基地局から送信され、前記隣接基地局が形成するセルに未接続の無線局が受信可能である報知チャネルを受信し、前記報知チャネルに含まれる前記第１の情報を取得する、請求項７又は８に記載の基地局装置。
【請求項１０】
前記受信手段は、前記測定の終了を伝達するために前記隣接基地局から送信される終了情報をさらに受信し、
前記送信手段は、前記終了情報を受信した場合に、前記測定の終了を示す情報を前記自身のセルに接続している移動局にさらに送信する、請求項７〜９のいずれか１項に記載の基地局装置。
【請求項１１】
移動局との間の無線送信及び無線受信の少なくとも一方を中断して周辺のセルから到達する無線信号の測定を行う第１の基地局から、前記測定の実行に関する第１の情報を受信する受信手段と、
前記第１の情報に基づいて、前記第１の基地局との間の送信動作および受信動作の少なくとも一方を停止する制御手段と、
を備える移動局装置。
【請求項１２】
前記制御手段は、前記第１の基地局が無線送信を停止している期間に、前記第１の基地局に対する上りデータ送信を停止する、請求項１１に記載の移動局装置。
【請求項１３】
前記移動局装置が前記周辺のセルに接続している場合に、前記受信手段は、前記周辺のセルを形成する第２の基地局を経由して前記第１の情報を受信する、請求項１１又は１２に記載の移動局装置。
【請求項１４】
前記受信動作は、前記第１の基地局から送信される無線信号の受信電力測定を含む、請求項１１〜１３のいずれか１項に記載の移動局装置。
【請求項１５】
前記受信動作は、前記第１の基地局から送信され、前記移動局装置のハンドオーバーの実行判定のために使用されるパイロットチャネルの受信電力測定を含む、請求項１１〜１３のいずれか１項に記載の移動局装置。
【請求項１６】
第１の移動局と、
前記第１の移動局との間の無線送信及び無線受信の少なくとも一方を中断して隣接セルから到達する無線信号の測定を行う第１の基地局と、を備え、
前記第１の基地局は、前記測定の実行に関する第１の情報を送信し、
前記第１の移動局は、前記第１の情報に基づいて、前記第１の基地局に対する無線信号の送信動作および前記第１の基地局からの無線信号の受信動作の少なくとも一方を停止する、
通信システム。
【請求項１７】
前記隣接セルを形成する第２の基地局をさらに備え、
前記第２の基地局は、前記第１の情報を受信するとともに、前記第１の情報を受信した場合に、前記測定の実行に関する第２の情報を前記隣接セルに接続している第２の移動局に送信する、請求項１６に記載の通信システム。
【請求項１８】
前記第１の基地局は、前記第１の移動局及び第２の基地局がともに受信可能な報知チャネルを用いて前記第１の情報を送信する、請求項１６又は１７に記載の通信システム。
【請求項１９】
前記第１の基地局は、前記報知チャネルに加えて、前記自身のセルに接続している前記第１の移動局が受信可能な共有チャネルを用いて前記第１の情報を送信する、請求項１８に記載の通信システム。
【請求項２０】
移動局との間の無線送信及び無線受信の少なくとも一方を中断して隣接セルから到達する無線信号の測定を行う場合に、前記測定の実行に関する第１の情報を前記移動局に送信することを含む、基地局装置の制御方法。
【請求項２１】
移動局との間の無線送信及び無線受信の少なくとも一方を中断して周辺のセルから到達する無線信号の測定を行う隣接基地局から、前記測定の実行に関する第１の情報を受信し、
前記第１の情報を受信した場合に、前記測定の実行に関する第２の情報を自身のセルに接続している移動局に通知することを含む、基地局装置の制御方法。
【請求項２２】
移動局との間の無線送信及び無線受信の少なくとも一方を中断して周辺のセルから到達する無線信号の測定を行う基地局から、前記測定の実行に関する第１の情報を受信し、
前記第１の情報に基づいて、前記基地局に対する無線信号の送信動作および前記基地局からの無線信号の受信動作の少なくとも一方を停止することを含む、移動局装置の制御方法。
【請求項２３】
基地局装置に関する制御をコンピュータに実行させるためのプログラムであって、
前記制御は、前記基地局装置が移動局との間の無線送信及び無線受信の少なくとも一方を中断して隣接セルから到達する無線信号の測定を実行する場合に、前記測定の実行に関して前記移動局に送信される第１の情報を生成することを含む、プログラム。
【請求項２４】
基地局装置に関する制御をコンピュータに実行させるためのプログラムであって、
前記制御は、
移動局との間の無線送信及び無線受信の少なくとも一方を中断して周辺のセルから到達する無線信号の測定を行う隣接基地局から、前記測定の実行に関する第１の情報を取得し、
前記第１の情報に基づいて、前記測定の実行に関し、前記基地局装置によって形成されるセルに接続している移動局に送信される第２の情報を生成することを含む、プログラム。
【請求項２５】
移動局装置に関する制御をコンピュータに実行させるためのプログラムであって、
前記制御は、
移動局との間の無線送信及び無線受信の少なくとも一方を中断して周辺のセルから到達する無線信号の測定を行う基地局から、前記測定の実行に関する第１の情報を取得し、
前記第１の情報に基づいて、前記基地局に対する無線信号の送信動作および前記基地局からの無線信号の受信動作の少なくとも一方を停止させることを含む、プログラム。
【請求項２６】
前記測定手段は、自身のセルの運用中に前記測定を行う、請求項１〜６のいずれか１項に記載の基地局装置。
【請求項２７】
前記第１の情報は、前記測定の実行を予告するために、前記測定の開始に先立って送信される、請求項１〜６並びに２６のいずれか１項に記載の基地局装置。
【国際調査報告】
2010079560.tif 000015
2010079560.tif 000016